(57)【要約】【課題】  ディスク装置側とテレビジョン受像機側の視聴制限レベルの設定操作を連係させ、一連の操作の中で両方の視聴制限レベルを設定できるようにする。【解決手段】  受像機側からの視聴制限レベルの設定時、ＴＶ側マイコン２１は、セットアップ画面から視聴制限レベルの設定が選択されると、アクセスコード入力画面を表示し、アクセスコードが入力されると、放送側の視聴制限レベルの設定選択画面を表示し、任意の視聴制限レベルが選択されると、選択された視聴制限レベルに対応したディスク側の視聴制限レベルの情報を視聴制限レベル対応テーブルより取得してディスク側マイコン１１に通知して、受像機側の視聴制限レベルを選択された視聴制限レベルに設定する。ディスク側マイコン１１は、通知内容に従いディスク側の視聴制限レベルを設定する。【選択図】  図１
2006180121.tif 000002
【特許請求の範囲】
【請求項１】
ディスク側の視聴制限レベルを設定可能なパレンタル機能を有するディスク装置の制御手段と、放送側の視聴制限レベルを設定可能なＶ−ＣＨＩＰ機能を有するテレビジョン受像機の制御手段とがバス通信によって接続されたディスク装置内蔵型テレビジョン受像機において、
前記ディスク側視聴制限レベルと前記放送側視聴制限レベルとを対応させた視聴制限レベル対応テーブルを備えており、
ユーザによる前記受像機側からの視聴制限レベルの設定時、前記受像機側制御手段は、セットアップ画面から視聴制限レベルの設定が選択されると、アクセスコードの入力画面を表示し、アクセスコードが入力されると、放送側の視聴制限レベルの設定選択画面を表示し、任意の視聴制限レベルが選択されると、選択された視聴制限レベルに対応したディスク側の視聴制限レベルの情報を前記視聴制限レベル対応テーブルより取得して前記装置側制御手段に通知するとともに、受像機側の視聴制限レベルを選択された視聴制限レベルに設定し、
前記装置側制御手段は、通知内容に従いディスク側の視聴制限レベルの設定画面を表示した後、装置側の視聴制限レベルを通知内容に従った視聴制限レベルに設定することを特徴とするディスク装置内蔵型テレビジョン受像機。
【請求項２】
ディスク側の視聴制限レベルを設定可能なパレンタル機能を有するディスク装置の制御手段と、放送側の視聴制限レベルを設定可能なＶ−ＣＨＩＰ機能を有するテレビジョン受像機の制御手段とがバス通信によって接続されたディスク装置内蔵型テレビジョン受像機において、
前記ディスク側視聴制限レベルと前記放送側視聴制限レベルとを対応させた視聴制限レベル対応テーブルを備えており、ユーザによる前記ディスク装置側の視聴制限レベルの設定操作または前記テレビジョン受像機側の視聴制限レベルの設定操作のいずれか一方の設定操作により、前記視聴制限レベル対応テーブルの対応関係に基づき、他方の視聴制限レベルも設定されることを特徴とするディスク装置内蔵型テレビジョン受像機。
【請求項３】
ユーザによる前記ディスク装置側からの視聴制限レベルの設定時、前記装置側制御手段は、セットアップ画面から視聴制限レベルの設定が選択されると、アクセスコードの入力画面を表示し、アクセスコードが入力されると、ディスク側の視聴制限レベルの設定選択画面を表示し、任意の視聴制限レベルが選択されると、選択された視聴制限レベルに対応した放送側の視聴制限レベルの情報を前記視聴制限レベル対応テーブルより取得して前記受像機側制御手段に通知するとともに、装置側の視聴制限レベルを選択された視聴制限レベルに設定し、
前記受像機側制御手段は、通知内容に従い放送側の視聴制限レベルの設定画面を表示した後、受像機側の視聴制限レベルを通知内容に従った視聴制限レベルに設定することを特徴とする請求項２に記載のディスク装置内蔵型テレビジョン受像機。
【請求項４】
前記受像機側制御手段は、アクセスコードが入力されると、受像機側または装置側のいずれかの視聴制限種別を選択する視聴制限種別選択画面を表示し、装置側の視聴制限種別が選択されると、その選択情報を前記装置側制御手段に通知し、装置側制御手段は、ディスク側の視聴制限レベルの設定選択画面の表示から処理を継続することを特徴とする請求項１に記載のディスク装置内蔵型テレビジョン受像機。
【請求項５】
前記装置側制御手段は、アクセスコードが入力されると、受像機側または装置側のいずれかの視聴制限種別を選択する視聴制限種別選択画面を表示し、受像機側の視聴制限種別が選択されると、その選択情報を前記受像機側制御手段に通知し、受像機側制御手段は、放送側の視聴制限レベルの設定選択画面の表示から処理を継続することを特徴とする請求項３に記載のディスク装置内蔵型テレビジョン受像機。
【請求項６】
前記視聴制限レベルの設定選択画面には、ディスク側の視聴制限レベルと放送側の視聴制限レベルの両方が対応づけられた形で表示されることを特徴とする請求項１，３，４または５に記載のディスク装置内蔵型テレビジョン受像機。
【請求項７】
前記ディスク側視聴制限レベルがレベル１からレベル８の８段階であり、前記放送側視聴制限レベルがＧ，ＰＧ，ＰＧ−１３，Ｒ，ＮＣ−１７，Ｘの６段階である場合に、前記視聴制限レベル対応テーブルは、ディスク側視聴制限レベルに１対１で対応しない放送側視聴制限レベルのところを、レベルの高い方で重複して対応させていることを特徴とする請求項１ないし請求項４のいずれかに記載のディスク装置内蔵型テレビジョン受像機。
【請求項８】
ディスク側の視聴制限レベルを設定可能なパレンタル機能を有するディスク装置の制御手段と、放送側の視聴制限レベルを設定可能なＶ−ＣＨＩＰ機能を有するテレビジョン受像機の制御手段とがバス通信によって接続されたディスク装置内蔵型テレビジョン受像機の視聴制限レベル設定方法において、
前記ディスク側視聴制限レベルと前記放送側視聴制限レベルとを対応させた視聴制限レベル対応テーブルを用いた方法であって、
ユーザによる前記受像機側からの視聴制限レベルの設定時、セットアップ画面から視聴制限レベルの設定が選択されると、アクセスコードの入力画面を表示する工程と、
アクセスコードが入力されると、放送側の視聴制限レベルの設定選択画面を表示する工程と、
任意の視聴制限レベルが選択されると、選択された視聴制限レベルに対応したディスク側の視聴制限レベルの情報を前記視聴制限レベル対応テーブルより取得して前記装置側制御手段に通知する工程と、
受像機側の視聴制限レベルを選択された視聴制限レベルに設定する工程と、
通知内容に従いディスク側の視聴制限レベルの設定画面を表示する工程と、
装置側の視聴制限レベルを通知内容に従った視聴制限レベルに設定する工程と、を備えたことを特徴とするディスク装置内蔵型テレビジョン受像機の視聴制限レベル設定方法。
【請求項９】
ディスク側の視聴制限レベルを設定可能なパレンタル機能を有するディスク装置の制御手段と、放送側の視聴制限レベルを設定可能なＶ−ＣＨＩＰ機能を有するテレビジョン受像機の制御手段とがバス通信によって接続されたディスク装置内蔵型テレビジョン受像機の視聴制限レベル設定方法において、
前記ディスク側視聴制限レベルと前記放送側視聴制限レベルとを対応させた視聴制限レベル対応テーブルを用いた方法であって、
ユーザによる前記装置側からの視聴制限レベルの設定時、セットアップ画面から視聴制限レベルの設定が選択されると、アクセスコードの入力画面を表示する工程と、
アクセスコードが入力されると、ディスク側の視聴制限レベルの設定選択画面を表示する工程と、
任意の視聴制限レベルが選択されると、選択された視聴制限レベルに対応した放送側の視聴制限レベルの情報を前記視聴制限レベル対応テーブルより取得して前記受像機側制御手段に通知する工程と、
装置側の視聴制限レベルを選択された視聴制限レベルに設定する工程と、
通知内容に従い放送側の視聴制限レベルの設定画面を表示する工程と、
受像機側の視聴制限レベルを通知内容に従った視聴制限レベルに設定する工程と、を備えたことを特徴とするディスク装置内蔵型テレビジョン受像機の視聴制限レベル設定方法。
【請求項１０】
前記アクセスコードが入力されると、前記放送側の視聴制限レベルの設定選択画面を表示する前に、受像機側または装置側のいずれかの視聴制限種別を選択する視聴制限種別選択画面を表示する工程と、
装置側の視聴制限種別が選択されると、その選択情報を前記装置側制御手段に通知して、ディスク側の視聴制限レベルの設定選択画面を表示する工程と、をさらに備えたことを特徴とする請求項８に記載のディスク装置内蔵型テレビジョン受像機の視聴制限レベル設定方法。
【請求項１１】
前記アクセスコードが入力されると、前記ディスク側の視聴制限レベルの設定選択画面を表示する前に、受像機側または装置側のいずれかの視聴制限種別を選択する視聴制限種別選択画面を表示する工程と、
受像機側の視聴制限種別が選択されると、その選択情報を前記受像機側制御手段に通知して、放送側の視聴制限レベルの設定選択画面を表示する工程と、をさらに備えたことを特徴とする請求項９に記載のディスク装置内蔵型テレビジョン受像機の視聴制限レベル設定方法。
【請求項１２】
前記視聴制限レベルの設定選択画面の表示工程では、ディスク側の視聴制限レベルと放送側の視聴制限レベルの両方が対応づけられた形で表示されることを特徴とする請求項８ないし請求項１１のいずれかに記載のディスク装置内蔵型テレビジョン受像機の視聴制限レベル設定方法。
【請求項１３】
前記ディスク側視聴制限レベルがレベル１からレベル８の８段階であり、前記放送側視聴制限レベルがＧ，ＰＧ，ＰＧ−１３，Ｒ，ＮＣ−１７，Ｘの６段階である場合に、前記視聴制限レベル対応テーブルは、ディスク側視聴制限レベルに１対１で対応しない放送側視聴制限レベルのところを、レベルの高い方で重複して対応させていることを特徴とする請求項８ないし請求項１２のいずれかに記載のディスク装置内蔵型テレビジョン受像機の視聴制限レベル設定方法。
【発明の詳細な説明】
【技術分野】
【０００１】
本発明は、ディスク側の視聴制限レベルを設定可能なパレンタル機能を有するディスク装置の制御手段と、放送側の視聴制限レベルを設定可能なＶ−ＣＨＩＰ機能を有するテレビジョン受像機の制御手段とがバス通信によって接続されたディスク装置内蔵型テレビジョン受像機に係り、より詳細には、ディスク装置側とテレビジョン受像機側の視聴制限レベルを連係させて設定可能としたディスク装置内蔵型テレビジョン受像機及びその視聴制限レベル設定方法に関する。
【背景技術】
【０００２】
地上波放送やケーブルテレビ、衛星放送等の放送システムにおいては、暴力的なシーンや性的なシーンを含む映像信号の受信を制限するため、Ｖ−ＣＨＩＰシステムが提案されている。このＶ−ＣＨＩＰシステムでは、放送する番組のそれぞれに対して視聴制限のレベルを示すデータを付加し、これを受信するＶ−ＣＨＩＰ機能を搭載したテレビジョン受像機側では、視聴が可能となるレベルを予め設定し、この設定したレベルを満たす番組についてのみ、受信を可能にする構成となっている。
【０００３】
一方、指紋や音声、瞳といった生体情報により視聴しているユーザの認識を行い、その結果に応じて上記の視聴制限を行うか否かを自動的に判断して実行するように構成された視聴制限機能付きテレビジョン受像機も提案されている（例えば、特許文献１参照）。
【０００４】
また、最近のディスク装置、例えばＤＶＤ（Digital Versatile Disk）装置にも、暴力的なシーンや性的なシーンに対して年齢に応じた視聴制限が可能なパレンタル機能が搭載されているものがある。
【０００５】
そして、このようなパレンタル機能を搭載したディスク装置を、Ｖ−ＣＨＩＰ機能を搭載したテレビジョン受像機に外部接続して使用する場合、ユーザは、ＤＶＤ装置はＤＶＤ用リモコンを使用してＤＶＤ装置側の視聴制限レベルを設定し、テレビジョン受像機はテレビ用リモコンを使用してテレビジョン受像機側の視聴制限レベルを設定することになる。
【０００６】
一方、最近では、このようなパレンタル機能を搭載したディスク装置を、Ｖ−ＣＨＩＰ機能を搭載したテレビジョン受像機に一体的に組み込んだディスク装置内蔵型テレビジョン受像機も提供されている。この場合、パレンタル機能による視聴制限レベル（パレンタルレベル）と、Ｖ−ＣＨＩＰ機能による視聴制限レベルとが１対１には対応していない。そのため、このようなディスク装置内蔵型テレビジョン受像機では、１台の専用リモコンを使用して、テレビジョン受像機側の視聴制限レベルと、ＤＶＤ装置側の視聴制限レベルとを個別に設定することになる。
【０００７】
すなわち、この専用リモコンを使用して、まず、テレビジョン受像機（以下、単に「受像機」ともいう。）側のＴＶセットアップ画面を表示し、その画面からＶ−ＣＨＩＰ設定を選択すると、次にアクセスコード画面が表示されるので、この画面にＴＶ側のアクセスコード（第１の暗号コード）を入力する。すると、次にＶ−ＣＨＩＰ設定画面が表示されるので、このＶ−ＣＨＩＰ設定画面からＴＶレーティングを選択すると、ＴＶレーティング画面が表示される。このＴＶレーティング画面に表示されているレーティングの中から所望するレーティング（視聴制限レベル）を選択することで、受像機側の視聴制限レベルが設定される。次にユーザは、専用リモコンを使用して、ＤＶＤ装置側のＤＶＤセットアップ画面を表示し、その画面からパレンタル設定を選択すると、次にアクセスコード画面が表示される。この画面に装置側のアクセスコード（第２の暗号コード）を入力すると、次にパレンタル設定画面が表示されるので、このパレンタル設定画面に表示されているパレンタルレベルの中から所望するレベル（視聴制限レベル）を選択することで、ＤＶＤ装置側の視聴制限レベルが設定される。
【特許文献１】特開２０００−２４４８３０号公報
【発明の開示】
【発明が解決しようとする課題】
【０００８】
このように、従来のディスク装置内蔵型テレビジョン受像機では、受像機側の視聴制限レベルと、ＤＶＤ装置側の視聴制限レベルとを設定する場合、１台の専用リモコンを使用して、個々のセットアップ画面から個別に設定していく必要があった。そのため、ユーザにとっては、１台の専用リモコンの操作であるにも係わらず、実際には２台のリモコンを個別に操作しているのとかわりはなく、煩雑で煩わしい操作となっていた。また、視聴制限レベルを設定するためのアクセスコードも、一体型であるにも係わらず、ＤＶＤ装置側と、テレビジョン受像機側の２つ必要になるため、使い分けるのが煩雑であった。
【０００９】
さらに、視聴制限レベルをＤＶＤ装置側とテレビジョン受像機側とで個別に設定する必要があるため、例えばＤＶＤ装置は設定したものの、テレビジョン受像機の設定を忘れてしまうといった設定忘れが発生する可能性がある。
【００１０】
さらにまた、視聴制限レベルをＤＶＤ装置側とテレビジョン受像機側とで個別に設定する場合に、例えばＤＶＤ装置側の視聴制限レベルが低く設定され、テレビジョン受像機側の視聴制限レベルがそれよりも高く設定された場合、テレビジョン受像機側の視聴制限レベルにはかからないがＤＶＤ装置側の視聴制限レベルにはかかる番組については、これを受信して視聴するのは問題無く視聴できるものの、その番組をＤＶＤ装置で録画し、その録画番組を再生する場合には、ＤＶＤ装置側の視聴制限レベルにひっかかって視聴できないといった不具合が発生する。
【００１１】
そのため、ユーザは、例えばテレビジョン受像機の視聴制限レベルを設定するときには、ＤＶＤ装置の視聴制限レベルもこれに合わせて設定するのが普通であるが、上記のように個別に設定する必要があるため、間違ったレベルで設定してしまう可能性があるといった問題があった。
【００１２】
また、テレビジョン受像機側の視聴制限レベルは、例えばＭＰＡＡ（Motion Picture Association America）の自主規制コードであるＭＰＡＡレーティング（Ｇ，ＰＧ，ＰＧ−１３，Ｒ，ＮＣ−１７，Ｘの６段階）に対応したレベル設定が可能である一方、ＤＶＤ装置側の視聴制限レベルは、レベル１からレベル８までの８段階で構成されるパレンタルレベルに対応したレベル設定が可能であり、両者のレベル区分が異なっている。そのため、ユーザは、例えばＭＰＡＡレーティングのＲが、パレンタルレベルではどのレベルに相当するのかが分かりにくく、これも間違ったレベル設定をしてしまう要因となっている。
【００１３】
本発明はかかる問題点を解決すべく創案されたもので、その目的は、ディスク装置側とテレビジョン受像機側の視聴制限レベルの設定操作を連係させ、一連の操作の中で両方の視聴制限レベルを設定できるようにすることで、機能のシンプル化を図るとともに、一方の視聴制限レベルの設定忘れや、両者の設定レベルの不一致といった不具合の発生を確実に防止し得るディスク装置内蔵型テレビジョン受像機及びその視聴制限レベル設定方法を提供することにある。
【課題を解決するための手段】
【００１４】
上記課題を解決するため、本発明のディスク装置内蔵型テレビジョン受像機は、ディスク側の視聴制限レベルを設定可能なパレンタル機能を有するディスク装置の制御手段と、放送側の視聴制限レベルを設定可能なＶ−ＣＨＩＰ機能を有するテレビジョン受像機の制御手段とがバス通信によって接続されたディスク装置内蔵型テレビジョン受像機において、前記ディスク側視聴制限レベルと前記放送側視聴制限レベルとを対応させた視聴制限レベル対応テーブルを備えており、ユーザによる前記ディスク装置側の視聴制限レベルの設定操作または前記テレビジョン受像機側の視聴制限レベルの設定操作のいずれか一方の設定操作により、前記視聴制限レベル対応テーブルの対応関係に基づき、他方の視聴制限レベルも設定されることを特徴とする。
【００１５】
このように、ユーザによるディスク装置側の視聴制限レベルの設定操作またはテレビジョン受像機側の視聴制限レベルの設定操作のいずれか一方の設定操作により、視聴制限レベル対応テーブルの対応関係に基づき、他方の視聴制限レベルも同時に設定するように構成することで、ユーザによる一方の視聴制限レベルの設定忘れや、両者の設定レベルの不一致といった不具合の発生を確実に防止することができる。
【００１６】
より具体的に説明すると、ユーザによる前記受像機側からの視聴制限レベルの設定時、前記受像機側制御手段は、セットアップ画面から視聴制限レベルの設定が選択されると、アクセスコードの入力画面を表示し、アクセスコードが入力されると、放送側の視聴制限レベルの設定選択画面を表示し、任意の視聴制限レベルが選択されると、選択された視聴制限レベルに対応したディスク側の視聴制限レベルの情報を前記視聴制限レベル対応テーブルより取得して前記装置側制御手段に通知するとともに、受像機側の視聴制限レベルを選択された視聴制限レベルに設定し、前記装置側制御手段は、通知内容に従いディスク側の視聴制限レベルの設定画面を表示した後、装置側の視聴制限レベルを通知内容に従った視聴制限レベルに設定する構成としている。
【００１７】
また、ユーザによる前記ディスク装置側からの視聴制限レベルの設定時、前記装置側制御手段は、セットアップ画面から視聴制限レベルの設定が選択されると、アクセスコードの入力画面を表示し、アクセスコードが入力されると、ディスク側の視聴制限レベルの設定選択画面を表示し、任意の視聴制限レベルが選択されると、選択された視聴制限レベルに対応した放送側の視聴制限レベルの情報を前記視聴制限レベル対応テーブルより取得して前記受像機側制御手段に通知するとともに、装置側の視聴制限レベルを選択された視聴制限レベルに設定し、前記受像機側制御手段は、通知内容に従い放送側の視聴制限レベルの設定画面を表示した後、受像機側の視聴制限レベルを通知内容に従った視聴制限レベルに設定する構成としている。
【００１８】
このように、受像機側からの視聴制限レベルの設定時、及びディスク装置側からの視聴制限レベルの設定時のいずれにおいても、ユーザにより入力されるアクセスコードは１種類のみ（すなわち、１回のみの入力）となっており、視聴制限レベルの設定機能をシンプルにすることが可能となっている。
【００１９】
また、本発明のディスク装置内蔵型テレビジョン受像機によれば、前記受像機側制御手段は、アクセスコードが入力されると、受像機側または装置側のいずれかの視聴制限種別を選択する視聴制限種別選択画面を表示し、装置側の視聴制限種別が選択されると、その選択情報を前記装置側制御手段に通知し、装置側制御手段は、ディスク側の視聴制限レベルの設定選択画面の表示から処理を継続するように構成してもよい。または、前記装置側制御手段は、アクセスコードが入力されると、受像機側または装置側のいずれかの視聴制限種別を選択する視聴制限種別選択画面を表示し、受像機側の視聴制限種別が選択されると、その選択情報を前記受像機側制御手段に通知し、受像機側制御手段は、放送側の視聴制限レベルの設定選択画面の表示から処理を継続するように構成してもよい。
【００２０】
すなわち、受像機側から視聴制限レベルを設定する場合と、ディスク装置側から視聴制限レベルを設定する場合の双方において、共通の視聴制限種別選択画面を使用することができ、この画面から即座に他方の装置（機器）側の設定画面に移行することができるので、ユーザにとって極めて使い勝手の良い構成とすることができる。
【００２１】
ここで、前記視聴制限レベルの設定選択画面には、ディスク側の視聴制限レベルと放送側の視聴制限レベルの両方が対応づけられた形で表示されるように構成してもよい。これにより、ユーザは、視聴制限レベルを設定するときに、テレビジョン受像機側でのレベルとディスク装置側でのレベルとを対比しながら、両装置（機器）にとって最も良いレベルを確実に選択することができ、レベル設定のやり直しといった手間を省くことができる。
【００２２】
この場合、視聴制限レベル対応テーブルについては、ディスク側視聴制限レベルがレベル１からレベル８の８段階であり、放送側視聴制限レベルがＧ，ＰＧ，ＰＧ−１３，Ｒ，ＮＣ−１７，Ｘの６段階である場合に、ディスク側視聴制限レベルに１対１で対応しない放送側視聴制限レベルのところを、レベルの高い方で重複して対応させるようにしてもよい。具体的には、例えばレベル１にＧ、レベル２とレベル３にＰＧ、レベル４にＰＧ−１３、レベル５とレベル６にＲ、レベル７にＮＣ−１７、レベル８にＸをそれぞれ対応させる。これにより、ユーザは、ディスク側の視聴制限レベルと放送側の視聴制限レベルの両方が１対１に対応づけられた形となるので、レベルの選択がし易くなるものである。
【００２３】
また、本発明のディスク装置内蔵型テレビジョン受像機の視聴制限レベル設定方法は、ディスク側の視聴制限レベルを設定可能なパレンタル機能を有するディスク装置の制御手段と、放送側の視聴制限レベルを設定可能なＶ−ＣＨＩＰ機能を有するテレビジョン受像機の制御手段とがバス通信によって接続されたディスク装置内蔵型テレビジョン受像機の視聴制限レベル設定方法において、前記ディスク側視聴制限レベルと前記放送側視聴制限レベルとを対応させた視聴制限レベル対応テーブルを用いた方法であって、ユーザによる前記受像機側からの視聴制限レベルの設定時、セットアップ画面から視聴制限レベルの設定が選択されると、アクセスコードの入力画面を表示する工程と、アクセスコードが入力されると、放送側の視聴制限レベルの設定選択画面を表示する工程と、任意の視聴制限レベルが選択されると、選択された視聴制限レベルに対応したディスク側の視聴制限レベルの情報を前記視聴制限レベル対応テーブルより取得して前記装置側制御手段に通知する工程と、受像機側の視聴制限レベルを選択された視聴制限レベルに設定する工程と、通知内容に従いディスク側の視聴制限レベルの設定画面を表示する工程と、装置側の視聴制限レベルを通知内容に従った視聴制限レベルに設定する工程と、を備えたことを特徴とする。さらに、前記アクセスコードが入力されると、前記放送側の視聴制限レベルの設定選択画面を表示する前に、受像機側または装置側のいずれかの視聴制限種別を選択する視聴制限種別選択画面を表示する工程と、装置側の視聴制限種別が選択されると、その選択情報を前記装置側制御手段に通知して、ディスク側の視聴制限レベルの設定選択画面を表示する工程と、をさらに備えた構成とすることができる。
【００２４】
また、本発明のディスク装置内蔵型テレビジョン受像機の視聴制限レベル設定方法は、ディスク側の視聴制限レベルを設定可能なパレンタル機能を有するディスク装置の制御手段と、放送側の視聴制限レベルを設定可能なＶ−ＣＨＩＰ機能を有するテレビジョン受像機の制御手段とがバス通信によって接続されたディスク装置内蔵型テレビジョン受像機の視聴制限レベル設定方法において、前記ディスク側視聴制限レベルと前記放送側視聴制限レベルとを対応させた視聴制限レベル対応テーブルを用いた方法であって、ユーザによる前記装置側からの視聴制限レベルの設定時、セットアップ画面から視聴制限レベルの設定が選択されると、アクセスコードの入力画面を表示する工程と、アクセスコードが入力されると、ディスク側の視聴制限レベルの設定選択画面を表示する工程と、任意の視聴制限レベルが選択されると、選択された視聴制限レベルに対応した放送側の視聴制限レベルの情報を前記視聴制限レベル対応テーブルより取得して前記受像機側制御手段に通知する工程と、装置側の視聴制限レベルを選択された視聴制限レベルに設定する工程と、通知内容に従い放送側の視聴制限レベルの設定画面を表示する工程と、受像機側の視聴制限レベルを通知内容に従った視聴制限レベルに設定する工程と、を備えたことを特徴とする。さらに、前記アクセスコードが入力されると、前記ディスク側の視聴制限レベルの設定選択画面を表示する前に、受像機側または装置側のいずれかの視聴制限種別を選択する視聴制限種別選択画面を表示する工程と、受像機側の視聴制限種別が選択されると、その選択情報を前記受像機側制御手段に通知して、放送側の視聴制限レベルの設定選択画面を表示する工程と、をさらに備えた構成とすることができる。
【発明の効果】
【００２５】
本発明のディスク装置内蔵型テレビジョン受像機及びその視聴制限レベル設定方法によれば、ユーザによるディスク装置側の視聴制限レベルの設定操作またはテレビジョン受像機側の視聴制限レベルの設定操作のいずれか一方の設定操作により、視聴制限レベル対応テーブルの対応関係に基づき、他方の視聴制限レベルも同時に設定するように構成することで、ユーザによる一方の視聴制限レベルの設定忘れや、両者の設定レベルの不一致といった不具合の発生を確実に防止することができる。
【００２６】
また、本発明のディスク装置内蔵型テレビジョン受像機及びその視聴制限レベル設定方法によれば、受像機側から視聴制限レベルを設定する場合と、ディスク装置側から視聴制限レベルを設定する場合の双方において、共通の視聴制限種別選択画面を使用するように構成したので、この画面から即座に他方の装置（機器）側の設定画面に移行することができるため、ユーザにとって極めて使い勝手の良い構成となっている。
【発明を実施するための最良の形態】
【００２７】
以下、本発明の実施の形態について、図面を参照して説明する。
【００２８】
図１は、本実施形態に係わるディスク装置（例えばＤＶＤ装置）内蔵型テレビジョン受像機の要部の電気的構成を示す機能ブロック図である。ただし、本実施形態では、ＤＶＤ装置によるディスク再生処理や、テレビジョン受像機による映像及び音声の信号処理については従来周知の処理であるので、ここではそれぞれディスク信号処理部及びＴＶ信号処理部として簡単な機能ブロックで示している。
【００２９】
すなわち、本実施形態のディスク装置内蔵型テレビジョン受像機は、ディスク側の視聴制限レベルを設定可能なパレンタル機能を有するディスク制御系１０と、放送側の視聴制限レベルを設定可能なＶ−ＣＨＩＰ機能を有するＴＶ制御系２０とが１つの筐体内に機能的に連係されて格納されたもので、ディスク制御系１０全体を制御するディスク側マイコン１１と、ＴＶ制御系２０全体を制御するＴＶ側マイコン２１とがバス通信３５によって双方向に接続された構成となっている。
【００３０】
ディスク側マイコン１１は、本体内に挿入されたディスク１３の種類を判別する判別処理や、ディスクの種類に応じた再生処理を行うディスク信号処理部１２を制御する。また、ディスク信号処理部１２は、ディスク装置側の各種設定を行うためのセットアップ画面を含む各種設定画面を表示するためのＯＳＤ回路１２ａを備えている。
【００３１】
一方、テレビジョン信号を受信するチューナ回路２２の出力は、ディスク信号処理部１２からのディスク生成信号との入力切り換えを行う入力切換回路２３を介してＴＶ信号処理部２４に接続されており、ＴＶ信号処理部２４の出力は、ＣＲＴ等の表示部２５に接続されている。また、入力切換回路２３の出力は、増幅器２６を介して内部スピーカ２７に接続されている。また、ＴＶ信号処理部２４は、テレビジョン受像機側の各種設定を行うためのセットアップ画面を含む各種設定画面を表示するためのＯＳＤ回路２４ａを備えている。
【００３２】
ＴＶ側マイコン２１は、チューナ回路２２を介して受信したテレビジョン信号を映像信号や音声信号に復号し、映像信号を表示部２５に表示するとともに音声信号を内部スピーカ２５から出力するＴＶ信号処理部２４を制御する。
【００３３】
また、ＴＶ側マイコン２１には、工場出荷時に予め設定された表示画面の明るさ系の設定値（すなわち、ブライト、コントラスト、カラー、シャープネス、ティント等の設定値）を初期値として格納しておくＥＥＰＲＯＭ等からなるデータ格納部２８が接続されている。また、ＴＶ側マイコン２１には、リモコン４１からの各種操作信号を受信する受信部２９の出力が接続されている。ＴＶ側マイコン２１は、このリモコン４１から送信されてくる各種操作信号に基づいて、ディスク制御系１０及びＴＶ制御系２０の動作制御を行うようになっている。すなわち、本実施形態では、ディスク制御系１０の電源オン、オフを含む全ての制御信号が、ＴＶ側マイコン２１を通じてディスク側マイコン１１に送信されるようになっている。
【００３４】
また、本実施形態のディスク装置内蔵型テレビジョン受像機では、ディスク側視聴制限レベルと、放送側視聴制限レベルとを対応させた視聴制限レベル対応テーブルを格納したメモリ部３０を備えており、このメモリ部３０はバス通信３５のラインに接続されている。すなわち、ディスク側マイコン１１及びＴＶ側マイコン２１のいずれからも直接アクセス可能となっている。なお、メモリ部３０としては、ＥＥＰＲＯＭやフラッシュメモリ等の使用が可能である。また、このメモリ部３０とデータ格納部２８とを共通使用することも可能であるが、本実施形態では、メモリ部３０とデータ格納部２８とを別個に設けている。
【００３５】
図２は、メモリ部３０に格納されている視聴制限レベル対応テーブルの構成例を示している。
【００３６】
ディスク側視聴制限レベルであるパレンタルレベルは、レベル１からレベル８の８段階で構成されており、放送側視聴制限レベルであるＭＰＡＡレーティングは、Ｇ，ＰＧ，ＰＧ−１３，Ｒ，ＮＣ−１７，Ｘの６段階で構成されている。そのため、本実施形態の視聴制限レベル対応テーブルは、ディスク側視聴制限レベルに１対１で対応しない放送側視聴制限レベルのところ（図２中、「予備」と併記しているところ）を、レベルの高い方で重複して対応させるようにしている。
【００３７】
すなわち、図２に示すように、パレンタルレベルの「レベル１」にＭＰＡＡレーティングの「Ｇ」を対応させ、パレンタルレベルの「レベル２」と「レベル３」にそれぞれＭＰＡＡレーティングの「ＰＧ」を対応させ、パレンタルレベルの「レベル４」にＭＰＡＡレーティングの「ＰＧ−１３」を対応させ、パレンタルレベルの「レベル５」と「レベル６」にそれぞれＭＰＡＡレーティングの「Ｒ」を対応させ、パレンタルレベルの「レベル７」にＭＰＡＡレーティングの「ＮＣ−１７」を対応させ、パレンタルレベルの「レベル８」にＭＰＡＡレーティングの「Ｘ」を対応させている。これにより、ディスク側視聴制限レベルと放送側視聴制限レベルの両方が１対１に対応づけられた形となる。なお、今回対応付けた予備のところは、新たに基準が追加された場合等には、対応するところにその新基準を当てはめるように視聴制限レベル対応テーブルを変更すればよい。
【００３８】
上記構成において、本実施形態では、ユーザによるディスク装置側の視聴制限レベルの設定操作、またはテレビジョン受像機側の視聴制限レベルの設定操作のいずれか一方の設定操作により、図２に示す視聴制限レベル対応テーブルの対応関係に基づき、他方の視聴制限レベルも同時に設定可能となっている。すなわち、視聴制限レベルの設定処理時、ＴＶ側マイコン２１とディスク側マイコン１１とは、バス通信３５を介して双方向にデータ通信を行い、ディスク装置側とテレビジョン受像機側の視聴制限レベルが一致するように一連の処理を実行する。以下、このときの視聴制限レベル設定処理について、具体的に実施例を挙げて説明する。
【実施例１】
【００３９】
本実施例１は、テレビジョン受像機の視聴制限レベルの設定処理を経てディスク装置側の視聴制限レベルの設定処理を一連で行う実施例である。以下、図３に示す状態遷移図を参照して本実施例１の視聴制限レベル設定処理手順を説明する。
【００４０】
ユーザは、リモコン４１を操作して、受像機側の視聴制限レベルを設定すべく、ＴＶ信号処理部２４のＯＳＤ回路２４ａを使用して、図３（ａ）に示すＴＶセットアップ画面５１を表示部２５に表示し、その中から「Ｖ−ＣＨＩＰ設定」の項目を選択する。これにより、表示部２５には、図３（ｂ）に示すアクセスコード画面５２が表示される。
【００４１】
ユーザは、このアクセスコード画面５２のコード入力窓５２ａに、リモコン４１の操作により、予め決定しておいた例えば４桁のアクセスコードを入力し、図示しない決定ボタンを操作する。これにより、表示部２５には、図３（ｃ）に示すＶ−ＣＨＩＰ設定画面５３が表示される。このＶ−ＣＨＩＰ設定画面５３には、Ｖ−ＣＨＩＰの設定を受像機単独で行う場合に選択する「ＴＶレーティング」と、本実施形態に係るディスク装置側まで一連に設定する場合に選択する「ＭＰＡＡレーティング」とが表示される。なお、この他にも、「コード変更」など、必要な項目が表示される。
【００４２】
ユーザは、ここではＶ−ＣＨＩＰ設定画面５３の「ＭＰＡＡレーティング」の項目を選択する。これにより、表示部２５には、図３（ｄ）に示すＭＰＡＡレーティング設定画面５４が表示される。ＭＰＡＡレーティング設定画面５４には、ＭＰＡＡレーティングの６段階のレベルが表示されており、その右側には、現在の受像機の視聴制限レベルの状態が表示されている。すなわち、現状では、「Ｘ」が［ブロック］となっており、その他の「Ｇ」〜「ＮＣ−１７」が［視聴可能］となっている。つまり、ＭＰＡＡレーティングとして「Ｘ」が設定されている。
【００４３】
ここで、ユーザが、このＭＰＡＡレーティング設定画面５４の中の例えば「ＰＧ−１３」を選択したとすると、表示部２５には、図３（ｅ）に示すＶ−ＣＨＩＰ設定画面５５が表示される。この画面はユーザに対する確認画面であり、ユーザが画面中の「ＹＥＳ」を選択すると、表示部２５には、図３（ｆ）に示すＤＶＤのパレンタル設定画面５６が表示される。
【００４４】
すなわち、Ｖ−ＣＨＩＰ設定画面５５の「ＹＥＳ」が選択されると、ＴＶ側マイコン２１は、図３（ｄ）のＭＰＡＡレーティング設定画面５４で選択されたＭＰＡＡレーティングのレベル「ＰＧ−１３」に対応したパレンタルレベルを、図２に示す視聴制限レベル対応テーブルより取得し、この取得したパレンタルレベル情報（この例では、レベル４を示す情報）を、バス通信３５を介してディスク側マイコン１１に通知する。この後、ＴＶ側マイコン２１は、ＯＳＤ回路２４ａの駆動を停止する。これにより、ディスク側マイコン１１は、ディスク信号処理部１２のＯＳＤ回路１２ａを使用して、上記図３（ｆ）に示すパレンタル設定画面５６を表示部２５に表示する。
【００４５】
またこのとき、ＴＶ側マイコン２１は、受像機側の視聴制限レベルをＭＰＡＡレーティングのレベル「ＰＧ−１３」に設定する。
【００４６】
ディスク側マイコン１１では、上記のように図３（ｆ）に示すパレンタル設定画面５６を所定時間（例えば、５秒等）表示する。このときのパレンタル設定画面５６は、ディスク装置側の視聴制限レベルが「レベル４」に設定されることをユーザに通知している。ユーザは、この設定レベルを変更したい場合には、この表示されている５秒間の間に新たなパレンタルレベルの設定操作を行えばよいが、ここではこの操作説明は省略する。この後、ユーザが新たな操作を行うことなく、５秒の表示期間が経過すると、ディスク側マイコン１１は、ディスク装置側の視聴制限レベルを「レベル４」に設定する。
【００４７】
このように、本実施例１によれば、受像機側からの視聴制限レベルの設定時、ユーザにより入力されるアクセスコードは１種類のみ（すなわち、１回のみの入力）となり、従来のように受像機側とディスク装置側で個別に入力する必要が無くなる分、視聴制限レベルの設定機能をシンプルにすることが可能となっている。
【実施例２】
【００４８】
本実施例２は、ディスク装置の視聴制限レベルの設定処理を経てテレビジョン受像機側の視聴制限レベルの設定処理を一連で行う実施例である。以下、図４に示す状態遷移図を参照して本実施例２の視聴制限レベル設定処理手順を説明する。
【００４９】
ユーザは、リモコン４１を操作して、ディスク装置側の視聴制限レベルを設定すべく、ディスク信号処理部１２のＯＳＤ回路１２ａを使用して、図４（ａ）に示すＤＶＤセットアップ画面６１を表示部２５に表示し、その中から「パレンタル設定」の項目を選択する。これにより、表示部２５には、図４（ｂ）に示すアクセスコード画面６２が表示される。
【００５０】
ユーザは、このアクセスコード画面６２のコード入力窓６２ａに、リモコン４１の操作により、予め決定しておいた例えば４桁のアクセスコードを入力し、図示しない決定ボタンを操作する。これにより、表示部２５には、図４（ｃ）に示すパレンタル設定画面６３が表示される。このパレンタル設定画面６３には、パレンタルをディスク装置単独で行う場合に選択する「パレンタルレーティング」と、本実施形態に係る受像機側まで一連に設定する場合に選択する「パレンタル／ＭＰＡＡレーティング」とが表示される。なお、この他にも、「コード変更」など、必要な項目が表示される。
【００５１】
ユーザは、ここではパレンタル設定画面６３の「パレンタル／ＭＰＡＡレーティングレーティング」の項目を選択する。これにより、表示部２５には、図４（ｄ）に示すパレンタル設定画面６４が表示される。このパレンタル設定画面６４には、パレンタルレベルの８段階のレベルが表示されている。この場合、すでにパレンタルレベルが設定されている場合には、その設定されているレベルを含む下位のレベル（視聴制限の低いレベル）が全て反転表示されている。この例では、「レベル２」と「レベル１」とが反転表示（図では斜線を付している）されている。つまり、パレンタルレベルとして「レベル２」が設定されている。
【００５２】
ここで、ユーザが、このパレンタル設定画面６４の中の例えば「レベル４」を選択したとすると、表示部２５には、図４（ｅ）に示すパレンタル設定画面６５が表示される。この画面はユーザに対する確認画面であり、ユーザが画面中の「ＹＥＳ」を選択すると、表示部２５には、図４（ｆ）に示す受像機側のＭＰＡＡレーティング設定画面６６が表示される。
【００５３】
すなわち、パレンタル設定画面６５の「ＹＥＳ」が選択されると、ディスク側マイコン１１は、図４（ｄ）のパレンタル設定画面６４で選択されたパレンタルの「レベル４」に対応したＭＰＡＡレーティングのレベルを、図２に示す視聴制限レベル対応テーブルより取得し、この取得したＭＰＡＡレーティングレベル情報（この例では、「ＰＧ−１３」を示す情報）を、バス通信３５を介してＴＶ側マイコン２１に通知する。この後、ディスク側マイコン１１は、ＯＳＤ回路１２ａの駆動を停止する。これにより、ＴＶ側マイコン２１は、ＴＶ信号処理部２４のＯＳＤ回路２４ａを使用して、上記図４（ｆ）に示すＭＰＡＡレーティング設定画面６６を表示部２５に表示する。
【００５４】
またこのとき、ディスク側マイコン１１は、ディスク装置側の視聴制限レベルを「レベル４」に設定する。
【００５５】
ＴＶ側マイコン２１では、上記のように図４（ｆ）に示すＭＰＡＡレーティング設定画面６６を所定時間（例えば、５秒等）表示する。このときのＭＰＡＡレーティング設定画面６６は、受像機側の視聴制限レベルが「ＰＧ−３」に設定されることをユーザに通知している。ユーザは、この設定レベルを変更したい場合には、この表示されている５秒間の間に新たなＭＰＡＡレーティングの設定操作を行えばよいが、ここではこの操作説明は省略する。この後、ユーザが新たな操作を行うことなく、５秒の表示期間が経過すると、ＴＶ側マイコン２１は、受像機側の視聴制限レベルを「ＰＧ−３」に設定する。
【００５６】
このように、本実施例２によれば、ディスク装置側からの視聴制限レベルの設定時、ユーザにより入力されるアクセスコードは１種類のみ（すなわち、１回のみの入力）となり、従来のように受像機側とディスク装置側で個別に入力する必要が無くなる分、視聴制限レベルの設定機能をシンプルにすることが可能となっている。
【実施例３】
【００５７】
本実施例３は、上記実施例１におけるＶ−ＣＨＩＰ設定画面５３（図３（ｃ）参照）、及び上記実施例２におけるパレンタル設定画面６３（図４（ｃ）参照）を共通化した実施例である。すなわち、請求項に記載の視聴制限種別選択画面であるＶ−ＣＨＩＰ設定画面５３及びパレンタル設定画面６３を、図５に示すＶ−ＣＨＩＰ／パレンタル設定画面７３のように共通化する。
【００５８】
Ｖ−ＣＨＩＰ／パレンタル設定画面７３には、Ｖ−ＣＨＩＰの設定を受像機単独で行う場合に選択する「ＴＶレーティング」と、パレンタルレベルの設定をディスク装置単独で行う場合に選択する「パレンタルレーティング」と、本実施形態に係る受像機側からディスク装置側まで、またはディスク装置側から受像機側まで一連に設定する場合に選択する「ＭＰＡＡ／パレンタルレーティング」とが表示されている。
【００５９】
従って、ユーザは、例えば受像機側の視聴制限レベルの設定操作から開始して、図３（ａ），（ｂ）に示す設定画面に進み、そして図５に示すＶ−ＣＨＩＰ／パレンタル設定画面７３に進んだとき、受像機側の設定を中止して、ディスク装置側の設定に変更したい場合には、このＶ−ＣＨＩＰ／パレンタル設定画面７３の「パレンタルレーティング」を選択することで、ディスク側マイコン１１がディスク信号処理部１２のＯＳＤ回路１２ａを起動し、ディスク装置単独でのパレンタル設定画面（図示省略）に移行することができる。同様に、ユーザは、例えばディスク装置側の視聴制限レベルの設定操作から開始して、図４（ａ），（ｂ）に示す設定画面に進み、そして図５に示すＶ−ＣＨＩＰ／パレンタル設定画面７３に進んだとき、ディスク装置側の設定を中止して、受像機側の設定に変更したい場合には、このＶ−ＣＨＩＰ／パレンタル設定画面７３の「ＴＶレーティング」を選択することで、ＴＶ側マイコン２１がＴＶ信号処理部２４のＯＳＤ回路２４ａを起動し、受像機単独でのＴＶレーティング設定画面（図示省略）に移行することができる。
【００６０】
このように、本実施例３では、受像機側から視聴制限レベルを設定する場合と、ディスク装置側から視聴制限レベルを設定する場合の双方において、共通の視聴制限種別選択画面を使用することができ、この画面から即座に他方の装置（機器）側の設定画面に移行することができるので、ユーザにとって極めて使い勝手の良い構成とすることができる。
【実施例４】
【００６１】
上記実施例１では、図３（ｄ）に示すＭＰＡＡレーティング設定画面５４にＭＰＡＡレーティングのレベルのみを表示し、上記実施例２では、図４（ｄ）に示すパレンタル設定画面６４にパレンタルレベルのみを表示して、ユーザに選択させる構成としているが、この構成では、ユーザが例えば図３（ｄ）のＭＰＡＡレーティング設定画面５４の「Ｒ」を選択したとき、これに対応するパレンタルレベルがどのレベルであるのかを、この時点で確認することができず、図３（ｆ）の最終確認画面まで進んで初めて、ディスク装置側の設定レベルが確認できることになる。そのため、その時点で設定レベルを変更したいと考えた場合には、再度、図３（ａ）のＴＶセットアップ画面５１に戻るか、あるいは図３（ｄ）のＭＰＡＡレーティング設定画面５４に戻って、ＭＰＡＡレーティングを再度選択し直す必要が生じる。このことは、ユーザが例えば図４（ｄ）のパレンタル設定画面６４で任意のレベルを選択したときも同様である。
【００６２】
上記の点を踏まえ、本実施例４では、上記実施例１におけるＭＰＡＡレーティング設定画面５４（図３（ｄ））、及び上記実施例２におけるパレンタル設定画面６４（図４（ｄ））をさらに共通化している。
【００６３】
すなわち、ＭＰＡＡレーティング設定画面５４（図３（ｄ））、及びパレンタル設定画面６４（図４（ｄ））を、図６に示す表示形態としている。つまり、図２に示す視聴制限レベル対応テーブルの関係を、そのまま画面に表示している。この例ではさらに、それぞれのレベルの説明を表示するように構成している。これにより、ユーザは、ＭＰＡＡレーティングのどのレベルがパレンタルのどのレベルに対応しているのかを一目で確認することができ、なおかつ、そのレベルの説明を見ることで、自分が設定しようとしているレベルが適切なレベルであるか否かも確認することができる。そのため、ユーザによるレーティングの再度の設定といった手間を省くことができる。
【図面の簡単な説明】
【００６４】
【図１】本発明のディスク装置内蔵型テレビジョン受像機の要部の電気的構成を示す機能ブロック図である。
【図２】メモリ部に格納されている視聴制限レベル対応テーブルの構成例を示す説明図である。
【図３】実施例１の視聴制限レベル設定処理手順による表示画面の状態遷移を示す説明図である。
【図４】実施例２の視聴制限レベル設定処理手順による表示画面の状態遷移を示す説明図である。
【図５】実施例３に係る共通化されたＶ−ＣＨＩＰ／パレンタル設定画面の説明図である。
【図６】実施例４に係る共通化されたＭＰＡＡレーティング設定画面及びパレンタル設定画面の説明図である。
【符号の説明】
【００６５】
１０  ディスク制御系
１１  ディスク側マイコン
１２  ディスク信号処理部
１２ａ  ＯＳＤ回路
１３  ディスク
２０  ＴＶ制御系
２１  ＴＶ側マイコン
２２  チューナ回路
２３  入力切換回路
２４  ＴＶ信号処理部
２４ａ  ＯＳＤ回路
２５  表示部
２６  増幅器
２７  スピーカ
２８  データ格納部
２９  受信部
３０  メモリ部
３５  バス通信
４１  リモコン
【図１】
2006180121.tif 000003
【図２】
2006180121.tif 000004
【図３】
2006180121.tif 000005
【図４】
2006180121.tif 000006
【図５】
2006180121.tif 000007
【図６】
2006180121.tif 000008